(57)【要約】【課題】この発明は、物干竿に物干器を掛けた際、風などにより物干器が外れないようにすると共に、取り外しを容易にすることを目的としたものである。【解決手段】この発明は、物干竿に掛けるフック部と、物干竿に当接保持する係止手段を有する係止装置において、フック部の基端部に物干器と接続する接続手段を有し、フック部の先端部に、物干竿の外周壁に当接できる弧状凹入部を有する回転体を回転可能に取り付けると共に、フック部の中間部の内側に、物干竿と当接する弾性当接片を設けたことを特徴とする物干器の係止装置により目的を達成した。【選択図】      図１
2005000502.tif 000002
【特許請求の範囲】
【請求項１】
物干竿に掛けるフック部と、物干竿に当接保持する係止手段を有する係止装置において、フック部の基端部に物干器と接続する接続手段を有し、フック部の先端部に、物干竿の外周壁に当接できる弧状凹入部を有する回転体を回転可能に取り付けると共に、フック部の中間部の内側に、物干竿と当接する弾性当接片を設けたことを特徴とする物干器の係止装置。
【請求項２】
回転体は、複数の凹入部を有し、該凹入部内壁に摩擦手段を備えたことを特徴とする請求項１記載の物干器の係止装置。
【請求項３】
回転体は、フック部の先端部の一側又は両側に取り付けたことを特徴とする請求項１記載の物干器の係止装置。
【請求項４】
弾性当接片は、片持ち又は両持ちとし、物干竿に面当接すべく弧状に形成したことを特徴とする請求項１記載の物干器の係止装置。
【請求項５】
請求項１記載の係止装置を、物干器の上部へ回転自在に取り付けたことを特徴とする物干器。
【請求項６】
請求項１記載の係止装置を有するフック付の物干器において、管体よりなる環状の金属フレームの側壁に、薄板を突設して、該部へ取付手段を介してピンチを取り付け、前記金属フレームの中央位置に、合成樹脂製の吊枠の下部を回転自在に取り付け、該吊枠の上部へフックの下端部を回転自在に取り付けたことを特徴とする物干器。
【発明の詳細な説明】
【０００１】
【発明の属する技術分野】
この発明は、物干竿又は同等の支持杆に安定係止させることを目的とした物干器の係止装置及び物干器に関する。
【０００２】
【従来の技術】
従来物干器を物干竿に掛ける際に、風などにより、物干器が物干竿から外れないようにする為に、フック部へ設ける各種の係止装置が提案され、使用されている。
【０００３】
また、前記係止装置の一部を物干竿に協力当接させる提案もある。
【０００４】
更に物干器の枠部を金属製にする提案もある。
【０００５】
【特許文献１】特許第２９４９０６２号
【０００６】
【特許文献２】特許第３３８３２４９号
【０００７】
【発明により解決しようとする課題】
前記従来の係止装置は、物干竿の導入と、当接とを一つの回転体と、フック壁とに依存した構造であるが、物干竿の直径の大小により、支持中心がずれたり、保定が不安定になる問題点があった。
【０００８】
また金属フレーム利用の物干器においては、構造が複雑になる問題点があった。
【０００９】
【課題を解決するための手段】
この発明は、物干竿の導入手段と弾力押圧手段を有する２つの部材で物干器を弾力的に挟着させることにより、円滑な導入と、確実な挟着を可能にしたのである。
【００１０】
また金属フレームと、合成樹脂吊枠とを組み合わせることにより、両者の特質を生かした物干器を得たのである。
【００１１】
即ちこの発明は、物干竿に掛けるフック部と、物干竿に当接保持する係止手段を有する係止装置において、フック部の基端部に物干器と接続する接続手段を有し、フック部の先端部に、物干竿の外周壁に当接できる弧状凹入部を有する回転体を回転可能に取り付けると共に、フック部の中間部の内側に、物干竿と当接する弾性当接片を設けたことを特徴とする物干器の係止装置であり、回転体は、複数の凹入部を有し、該凹入部内壁に摩擦手段を備えたことを特徴とするものである。
【００１２】
また回転体は、フック部の先端部の一側又は両側に取り付けたことを特徴とするものであり、弾性当接片は、片持ち又は両持ちとし、物干竿に面当接すべく弧状に形成したことを特徴とするものである。
【００１３】
次に物干器の発明は、請求項１記載の係止装置を、物干器の上部へ回転自在に取り付けたことを特徴とする物干器である。また他の発明は、請求項１記載の係止装置を有するフック付の物干器において、管体よりなる環状の金属フレームの側壁に、薄板を突設して、該部へ取付手段を介してピンチを取り付け、前記金属フレームの中央位置に、合成樹脂製の吊枠の下部を回転自在に取り付け、該吊枠の上部へフックの下端部を回転自在に取り付けたことを特徴とする物干器である。
【００１４】
この発明における係止装置は、回転体の凹入部が対称的に配置されるのが好ましく、通状凹入部の数は２つ〜４つである。また弾性当接片は、片持ちでも両持ち（両端を固定）でもよいが、物干竿を挿入する僅かな力（例えば、物干器に吊下げした洗濯物の重量）で容易に変形し、かつ所定の押圧力（通常の風力ではフックが外れない程度）を必要とする。
【００１５】
弾性押圧片の材質は、フックの材質と同様にポリプロピレン、塩化ビニール、ポリカーボネイトその他通常使用する合成樹脂を使用することができるが、室外で使用されることが多いので、耐候性の大きい材質が好ましい。
【００１６】
また金属フレームを使用した物干器にあっては、最も力の掛かるフレームに金属を使用したので、耐候性が飛躍的に大きくなると共に、アルミニウム又はステンレススチールなどを使用すれば、軽量かつ強靱である。前記におけるステンレススチールは比重が大きいけれども、強靱の為に肉厚を薄くしても十分の拡張力を有するので、全体として軽量にできる。
【００１７】
この発明における係止装置は、回転体と弾性当接片の協同によって物干竿を保持しているので、物干竿の外径による自由度が大きく（例えば外径２５ｍｍ〜３０ｍｍに対応）作用、効果の信頼性がある。
【００１８】
また物干器については、ピンチ取り付け部のフレームは、平面方形、円形又は楕円形が考えられるが、特に限定はない。
【００１９】
またこの発明の係止装置を取り付ける物干器の形状には制約はなく、衣服等を支持するハンガー部と、物干竿へ係止する係止装置を具備すれば良く、衣服用ハンガーから、ピンチ付の洗濯用ハンガーまで使用できる。
【００２０】
この発明における弾性当接片は、その変形により物干竿を押さえる作用を有するので、物干竿が嵌入すると前記当接片は適宜変形し、フック部及び回転体と共同して物干竿を支持する。
【００２１】
この発明における金属フレームの薄板は、水平方向、垂直方向又は傾斜して取り付けることができる。若干傾斜させることによって水切りを良くすることができる。
【００２２】
【発明の実施の形態】
この発明の係止装置は、フック部の先端部へ物干竿を案内する回転体を軸支すると共に、フック部の中間部内側へ、前記回転体と共同して物干竿を支持する弾性当接片を設けたものである。
【００２３】
従ってフックを物干竿に掛ける際に、回転体が物干竿を案内して奥に導き、物干竿が当接片に当たってこれを変形させると共に、変形による弾力で、物干竿をフック内壁及び回転体の当接部に押しつけ、物干竿を安定保持することができる。
【００２４】
この発明における物干器は、前記フックを使用すると共に、金属フレームにピンチを取り付け、合成樹脂吊枠を用いたものである。
【００２５】
従ってフレームが軽量、強靱、耐候性を保有して耐用年限を伸ばすことができると共に、構造も簡単で組立が容易である。前記物干器は、金属と、合成樹脂のよい所を組み合わせた優れた製品である。
【００２６】
【実施例１】
この発明の係止装置の実施例を図１、２、３について説明する。フック部２の基端部に物干器の吊枠の上部の取付軸受け部と係止する段部３ａと、拡狭の変形可能な挿入部３ｂよりなる掛止手段３を設け、前記フック部２の先端側へ、物干竿の外周壁に当接する３つの弧状凹入部４ａ、４ｂ、４ｃを均等配置した回転体４、４を軸杆５で連結し、この軸杆５をフック部の先端側の内側へ設けた軸受溝２ａへ回転自在に嵌入する。
【００２７】
前記フック部２の中間部の内側に、物干竿１１と当接できる弾性当接片６を前記回転体４と対向して片持ち状に取り付け、この発明の係止装置１を構成した。
【００２８】
前記において、この係止装置１を物干竿１１に係止するには、フック部２を図２−（ａ）中、矢示７のように下降させると、まず回転体４の凹入部４ａの下側が物干竿１１に当接し、フック部２の下降に伴って物干竿の上部が凹入部４ａの上部に当接すると、回転体４が矢示８のように回転して、フック部２の内壁２ｂ中央部へ物干竿１１を導くと共に、前記弾性当接片６が矢示９のように物干竿１１に押圧されて変形し（図２−（ｂ））、その弾発力により、矢示１０のように物干竿１１を押圧する。
【００２９】
そこで弾性当接片６、フック部２の内壁２ｂ及び回転体４の凹入部４ａにより物干竿１１は支持される。
【００３０】
前記支持は、フック部２が矢示７の方向へ力を受けている間（物干器吊下中）は持続するので、係止状態を保つことができる。
【００３１】
前記実施例において、図２−（ｂ）中フック部２を矢示１２のように上方へ持ち上げると、回転体４は矢示１３のように回転し、物干竿１１から外れるので、物干器の係止装置１を容易に取り外すことができる。
【００３２】
前記実施例においては、弾性当接片６の上端は自由端としたが、その上端をフック部内壁へ固定することもできる。またフック部２の内壁へ凹入部２ｃを設け、弾性当接片６の先端側を凹入部２ｃ内に退避できるようにすることもできる。
【００３３】
前記実施例における回転体４の凹入部４ａ、４ｂ、４ｃの物干竿当接部へ摩擦手段２８を設けることもある。
【００３４】
前記摩擦手段としては、粗面（微小凹凸）にしたり、摩擦シートを貼着するなどが考えられ、従来知られている簡易な摩擦付与手段を採用することができる。このようにすれば、回転体と、物干竿１１とが確実に当接保持される。
【００３５】
【実施例２】
この発明の実施例を図４について説明する。アルミニウム製の２つのコ状枠１６、１６ａの内側に夫々薄板１７、１７を突設し、該薄板１７へピンチ１８の連結材１９の取付孔２７を設け、該取付孔２７へ連結材１９の一端を取り付け、連結材１９の他端へピンチ１８を連結する。
【００３６】
前記コ状枠１６、１６ａの開口側を互いに対向させ、コ状枠１６、１６ａの端部を取付板２０、２０、２０ａ、２０ａへ夫々固定し、前記取付板２０、２０ａを夫々重ねて、軸杆２１により回転可能に取り付ける。前記軸杆２１、２１には軸受け２２、２２を夫々固定し、該軸受け２２、２２に、吊枠２３の取付杆２４、２４を固定し、前記吊枠２３の上部中央の軸受け２６に、前記係止装置１の下端接続部を嵌入して取り付ければ、この発明の物干器２５が完成する。図中３５は支持線である。
【００３７】
前記取付板２０、２０ａは、軸杆２１へ回動可能に取り付けてあるので、図４中鎖線図示（矢示２９）のように折り畳みすることができる。
【００３８】
前記実施例は、方形のフレームを使用した物干器について説明したが、形状は方形に限定されることなく、円形、楕円形その他の形状でも同様である。
【００３９】
またコ状枠１６、１６ａの内側へ薄板１７、１７を突設したが、薄板１７の方向は水平方向に限らず垂直方向又は斜の方向もあり得る。
【００４０】
この発明の他の実施例を図５−（ｂ）について説明する。ハンガー本体１４にこの発明の係止装置１を回転自在に取り付けて物干器１５を構成した。
【００４１】
前記ハンガー本体１４の支杆１４ａの中央部の軸受け板３２へ、フック３０の取付け筒３１を、軸杆３３で回転自在に取り付けてある。
【００４２】
前記のように、フック３０を取り付けると、ハンガー本体１４を物干竿１１に掛ける時に、物干竿１１の位置が高くても比較的容易に掛けることができるので、背の低い人の場合に特に有利である。
【００４３】
またこのフックへ、他のハンガーのフックを掛け多段にして使用することも可能である。前記フック３０を使用しない場合には、矢示３４のように鎖線図示の位置まで廻せば邪魔になるおそれなく、従来のハンガーと同様に取り扱うことができる。
【００４４】
【発明の効果】
この発明の係止装置は、弾性当接片と、回転体によって物干竿を係止したので、取付取り外しが簡単容易であり、物干竿の固定が確実である効果がある。
【００４５】
また金属フレームに合成樹脂吊枠を組み合わせたので、前記効果の他に、製造が容易になり、価格を低減できる効果がある。
【図面の簡単な説明】
【図１】この発明の実施例の一部を破切した正面図。
【図２】（ａ）同じく物干竿にかける初期の説明図。
（ｂ）同じく物干竿にかけた説明図。
【図３】（ａ）同じく図１中Ａ−Ａ側面図。
（ｂ）同じく図１中Ｂ−Ｂで切断した一部斜視図。
（ｃ）同じく回転体の側面図。
【図４】同じくこの発明の係止装置をつけた物干器の一部を省略した斜視図。
【図５】（ａ）同じく図４の一部断面拡大図。
（ｂ）同じく他の実施例の一部を省略した正面図。
【符号の説明】
１  係止装置
２  フック部
３  掛止手段
４  回転体
５  軸杆
６  弾性当接片
【図１】
2005000502.tif 000003
【図２】
2005000502.tif 000004
【図３】
2005000502.tif 000005
【図４】
2005000502.tif 000006
【図５】
2005000502.tif 000007